(57)【要約】      （修正有）【課題】電源がオフの間に装置の可動箇所が動いた事実を、特定の操作者に速やかにかつ確実に伝えることができる貨幣処理装置及び貨幣処理システムを提供する。【解決手段】貨幣処理装置（出納機１０）は、収納部及び筐体を有する装置本体（紙幣処理装置１００）と、装置本体の可動箇所が動いたことを検知する検知部（センサ１０１）と、操作者が操作を行う操作部（タッチパネル５０１）と、装置本体を制御する制御部（端末制御部５０２）と、を備える。検知部は、装置本体の電源がオフの間に、可動箇所が動いたことを検知し、制御部は、装置本体の電源がオフの間に可動箇所が動いたときには、装置本体を、貨幣に関する処理を禁止する禁止モードにすると共に、予め登録した操作者が操作部を通じて確認操作を行ったことを受けて、禁止モードを解除する。【選択図】図２
2018132978.tif 000002
【特許請求の範囲】
【請求項１】
貨幣を収納する収納部及び前記収納部を収容する筐体を有しかつ、前記貨幣に関する処理を行う装置本体と、
前記装置本体において、前記収納部に触れることに関係する可動箇所が動いたことを検知する検知部と、
操作者が操作を行う操作部と、
前記操作者が前記操作部を操作することに応じて、前記装置本体を制御する制御部と、を備え、
前記検知部は、前記装置本体の電源がオフの間に、前記可動箇所が動いたことを検知し、
前記制御部は、前記検知部の検知信号に基づいて、前記装置本体の電源がオフの間に前記可動箇所が動いたときには、前記装置本体を、前記貨幣に関する処理を禁止する禁止モードにすると共に、予め登録した操作者が前記操作部を通じて確認操作を行ったことを受けて、前記禁止モードを解除する貨幣処理装置。
【請求項２】
前記制御部は、前記装置本体の電源がオフの間に前記可動箇所が動いたときには、前記装置本体の電源がオンになったタイミングで、前記予め登録した操作者の確認操作を要求する請求項１に記載の貨幣処理装置。
【請求項３】
前記制御部は、前記確認操作がなく前記禁止モードのまま前記装置本体の電源がオフされた後、前記装置本体の電源が再びオンになったときも、前記予め登録した操作者が確認操作を行うまで、前記禁止モードを継続する請求項２に記載の貨幣処理装置。
【請求項４】
前記制御部は、前記確認操作があったときに、前記可動箇所が動いたことに関する情報を出力する請求項１〜３のいずれか１項に記載の貨幣処理装置。
【請求項５】
前記情報には、前記可動箇所が動いた時に前記装置本体の付近を撮影した監視カメラの画像が含まれている請求項４に記載の貨幣処理装置。
【請求項６】
前記制御部は、前記確認操作があった後に、前記収納部の精査処理の要否を前記操作者に指定させる請求項１〜５のいずれか１項に記載の貨幣処理装置。
【請求項７】
貨幣を収納する収納部及び前記収納部を収容する筐体を含む装置本体と、前記装置本体において、前記収納部に触れることに関係する可動箇所が動いたことを検知する検知部と、前記装置本体を制御する制御部と、を有しかつ、前記貨幣に関する処理を行う貨幣処理装置と、
前記貨幣処理装置に接続されかつ、操作者が操作を行う操作端末と、を備え、
前記検知部は、前記装置本体の電源がオフの間に、前記可動箇所が動いたことを検知し、
前記制御部は、前記検知部の検知信号に基づいて、前記装置本体の電源がオフの間に前記可動箇所が動いたときには、前記装置本体を、前記貨幣に関する処理を禁止する禁止モードにすると共に、予め登録した操作者が前記操作端末を通じて確認操作を行ったことを受けて、前記禁止モードを解除する貨幣処理システム。
【発明の詳細な説明】
【技術分野】
【０００１】
ここに開示する技術は、貨幣処理装置及び貨幣処理システムに関する。
【背景技術】
【０００２】
特許文献１には、金融機関において用いられる現金処理システムが記載されている。この現金処理システムは、システム電源のオフ中に、現金を収納している収納手段の扉が開けられたことを検知すると共に、システム電源のオフ中に収納手段の扉が開けられていた場合は、システム電源の立ち上げ時に、収納手段の精査を自動的に実行するよう構成されている。
【先行技術文献】
【特許文献】
【０００３】
【特許文献１】特開２０００−１６３６３１号公報
【発明の概要】
【発明が解決しようとする課題】
【０００４】
システム電源のオフ中に収納手段の扉（つまり、貨幣を収納する収納部に触れることに関係する可動箇所の一つ）が開けられたことは、例えば当該現金処理システムが設置されている金融機関において所定の権限を有している管理者が、知っておくべき事項である。
【０００５】
特許文献１に記載された現金処理システムでは、自動的に開始をした精査が終了した後で、扉が開けられていたことが操作者に通知されるよう構成されている。しかしながら、現金処理システムの通知を見た操作者が、管理者に報告するとは限らない。従来のシステムでは、管理者への通知が確実に行われない恐れがある。
【０００６】
特に特許文献１に記載された現金処理システムでは、収納手段の精査の後に、電源のオフ中の扉の開情報が、操作者に通知される。システム電源を立ち上げてから、収納手段の精査が終了するまでには長い時間がかかるため、電源のオフ中に収納手段の扉が開いていたとしても、その情報を速やかに管理者に報告することができないという不都合もある。
【０００７】
ここに開示する技術はかかる点に鑑みてなされたものであり、その目的とするところは、貨幣を収納する収納部を備えた貨幣処理装置、及び、貨幣処理システムにおいて、装置本体の電源がオフの間に装置本体の可動箇所が動いた事実を、特定の人に速やかにかつ確実に伝えることにある。
【課題を解決するための手段】
【０００８】
ここに開示する貨幣処理装置は、貨幣を収納する収納部及び前記収納部を収容する筐体を有しかつ、前記貨幣に関する処理を行う装置本体と、前記装置本体において、前記収納部に触れることに関係する可動箇所が動いたことを検知する検知部と、操作者が操作を行う操作部と、前記操作者が前記操作部を操作することに応じて、前記装置本体を制御する制御部と、を備え、前記検知部は、前記装置本体の電源がオフの間に、前記可動箇所が動いたことを検知し、前記制御部は、前記検知部の検知信号に基づいて、前記装置本体の電源がオフの間に前記可動箇所が動いたときには、前記装置本体を、前記貨幣に関する処理を禁止する禁止モードにすると共に、予め登録した操作者が前記操作部を通じて確認操作を行ったことを受けて、前記禁止モードを解除する。
【０００９】
この構成によると、検知部は、装置本体の電源がオフの間に、装置本体の可動箇所が動いたことを検知する。装置本体の電源がオフの間において、検知部は、例えばバッテリの電力によって可動箇所が動いたことを検知可能にすればよい。
【００１０】
ここで、可動箇所は、収納部に触れることに関係する箇所であり、より具体的に、操作者は、収納部に収納している貨幣に触れるためには、当該可動箇所を動かさなければならないような箇所である。例えば筐体の内部を筐体外に開放することができる扉等の開閉部、筐体から外に引き出すことが可能な内部ユニット等が、ここでいう可動箇所に含まれる。また、可動箇所が動くことには、前述した扉が開くことや、ユニットが引き出されること以外にも、筐体から外に引き出した内部ユニットから収納部を取り外すことも、可動箇所が動くことに含まれる。
【００１１】
制御部は、装置本体の電源がオフの間に可動箇所が動いたときには、装置本体を、貨幣に関する処理を禁止する禁止モードにする。これにより、装置本体は、実質的に動作しないことになる。尚、禁止モードでは、装置本体の全ての処理を禁止してもよいし、貨幣に関する処理のみを禁止してもよい。
【００１２】
制御部はまた、予め登録した操作者が操作部を通じて確認操作を行ったことを受けて、禁止モードを解除する。尚、制御部は、操作者の認証を行うことによって、当該操作者が予め登録した操作者であるか否かを判定すればよい。
【００１３】
予め登録した操作者は、例えば所定の権限を有する管理者としてもよい。こうすることで、管理者が操作部を通じて確認操作を行わないと、貨幣処理装置は、貨幣に関する処理をすることができない。従って、装置本体の電源がオフの間に可動箇所が動いたときには、管理者が確認操作を行うことになるから、管理者は、装置本体の電源がオフの間に可動箇所が動いた事実を、速やかにかつ、確実に知ることができる。
【００１４】
そして、管理者が確認操作を行えば、禁止モードが解除されるため、貨幣処理装置を動作させることが可能になる。
【００１５】
前記制御部は、前記装置本体の電源がオフの間に前記可動箇所が動いたときには、前記装置本体の電源がオンになったタイミングで、前記予め登録した操作者の確認操作を要求する、としてもよい。
【００１６】
こうすることで、例えば金融機関の店舗の始業に合わせて装置本体の電源をオンにしたときに、装置本体の電源がオフの間に可動箇所が動いていた場合には、前述したように、予め登録した操作者は、その事実を知ることになる。予め登録した操作者は、適切なタイミングで可動箇所が動いた事実を知ることができる。
【００１７】
前記制御部は、前記確認操作がなく前記禁止モードのまま前記装置本体の電源がオフされた後、前記装置本体の電源が再びオンになったときも、前記予め登録した操作者が確認操作を行うまで、前記禁止モードを継続する、としてもよい。
【００１８】
つまり、装置本体が、一旦、禁止モードになったときには、装置本体の電源を入れ直しても、禁止モードのままになる。予め登録した操作者が確認操作を行わない限り、制御部は、装置本体の禁止モードを解除しない。禁止モードの解除条件を厳格にすることによって、予め登録した操作者（例えば所定の権限を有する管理者）は、電源オフの間に可動箇所が動いたという事実を確実に知ることができる。
【００１９】
前記制御部は、前記確認操作があったときに、前記可動箇所が動いたことに関する情報を出力する、としてもよい。
【００２０】
ここで、「可動箇所が動いたことに関する情報」には、装置本体において、どの可動箇所が動いたか、また、可動箇所が動いた日時、等を含めればよい。
【００２１】
制御部は、可動箇所が動いたことに関する情報を、例えば表示部に表示したり、プリンタによって印字したりすればよい。確認操作を行った操作者は、可動箇所が動いたことに関する詳細な情報を確認することができる。
【００２２】
また、前記情報には、前記可動箇所が動いた時に前記装置本体の付近を撮影した監視カメラの画像が含まれている、としてもよい。
【００２３】
こうすることで、確認操作を行った操作者は、可動箇所が動いた時の、装置本体の状況を確認することができる。操作者は、例えば犯罪の有無を確認する上で有用な情報を得ることができる。
【００２４】
前記制御部は、前記確認操作があった後に、前記収納部の精査処理の要否を前記操作者に指定させる、としてもよい。
【００２５】
こうすることで、確認操作を行った操作者は、可動箇所が動いた事実を知った後で、必要に応じて、収納部の精査処理を実行させることができる。精査処理が不要であれば、精査処理の実行を省略することができるため、例えば金融機関における業務の遂行をスムースにすることができる。また、精査処理が必要であれば、精査処理を実行することによって、収納部の在高を確認することができる。装置本体の電源をオフにする前の収納部の在高と、現在の収納部の在高とを比較することによって、装置本体の電源オフの間に、収納部から貨幣の抜き取り等の不正が行われたか否かを確実に把握することができる。
【００２６】
ここに開示する技術はまた、貨幣処理システムに係る。貨幣処理システムは、貨幣を収納する収納部及び前記収納部を収容する筐体を含む装置本体と、前記装置本体において、前記収納部に触れることに関係する可動箇所が動いたことを検知する検知部と、前記装置本体を制御する制御部と、を有しかつ、前記貨幣に関する処理を行う貨幣処理装置と、前記貨幣処理装置に接続されかつ、操作者が操作を行う操作端末と、を備える。前記検知部は、前記装置本体の電源がオフの間に、前記可動箇所が動いたことを検知し、前記制御部は、前記検知部の検知信号に基づいて、前記装置本体の電源がオフの間に前記可動箇所が動いたときには、前記装置本体を、前記貨幣に関する処理を禁止する禁止モードにすると共に、予め登録した操作者が前記操作端末を通じて確認操作を行ったことを受けて、前記禁止モードを解除する。
【００２７】
この構成によると、検知部は、装置本体の電源がオフの間に、装置本体の可動箇所が動いたことを検知する。制御部は、装置本体の電源がオフの間に可動箇所が動いたときには、装置本体を、貨幣に関する処理を禁止する禁止モードにする。
【００２８】
制御部は、予め登録した操作者が操作端末を通じて確認操作を行ったことを受けて、禁止モードを解除する。操作端末は、貨幣処理装置に接続された端末である。操作端末は、貨幣処理装置が設置された場所に存在するとは限らず、貨幣処理装置が設置された場所から離れた場所に存在していてもよい。操作端末は、具体的には、ＰＣ、タブレット端末、又はスマートフォン等によって構成してもよい。こうすることで、予め登録した操作者（例えば、所定の権限を有する管理者）は、貨幣処理装置が設置された場所から離れた場所において、操作端末を通じて遠隔で確認操作をすることができる。所定の権限を有する管理者が、貨幣処理装置が設置された場所に不在であっても、貨幣処理装置の禁止モードを解除することができるから、貨幣処理システムの利便性が向上する。
【発明の効果】
【００２９】
以上説明したように、前記の貨幣処理装置及び貨幣処理システムによると、装置本体の電源がオフの間に装置本体の可動箇所が動いた事実を、特定の人に速やかにかつ確実に伝えることができる。
【図面の簡単な説明】
【００３０】
【図１】図１は、貨幣処理システムの構成例を示す図である。
【図２】図２は、貨幣処理システムの構成例を示すブロック図である。
【図３】図３は、紙幣処理装置の内部構成例を示す図である。
【図４】図４は、出納機における監視制御に係る手順を例示するフローチャートである。
【図５】図５は、管理端末装置のタッチパネルに表示される警告画面を例示する図である。
【図６】図６は、管理端末装置のタッチパネルに表示される認証画面を例示する図である。
【図７】図７は、管理端末装置のタッチパネルに表示される開閉監視データの履歴情報を表示する画面を例示する図である。
【図８】図８は、管理端末装置のタッチパネルに表示される精査処理の実行要否を指定する画面を例示する図である。
【発明を実施するための形態】
【００３１】
以下、貨幣処理装置及び貨幣処理システムの実施形態を図面に基づいて詳細に説明する。以下の説明は、貨幣処理装置及び貨幣処理システムの一例である。図１は、貨幣処理装置としての出納機１０を含む貨幣処理システム１の構成例を示している。出納機１０は、例えば銀行等の金融機関に設置される。尚、貨幣処理システム１は、出納機１０を含むシステムに限定されない。また、貨幣処理装置も、出納機１０に限定されない。
【００３２】
（貨幣処理システムの構成例）
貨幣処理システム１は、前述したように出納機１０と、出納機１０に対してネットワーク７０４を介して接続された上位端末である管理コンピュータ７００とを備えている。管理コンピュータ７００には、図１に例示するように、タブレット端末７０１や、スマートフォン７０２のような携帯端末が通信可能に接続される。管理コンピュータ７００、タブレット端末７０１、及びスマートフォン７０２はそれぞれ、操作端末の一例である。
【００３３】
ネットワーク７０４にはまた、金融機関に設置されたオートキャッシャー７０５が、窓口端末７０６を介して接続されている。窓口端末７０６は、例えばＰＣによって構成される。オートキャッシャー７０５は、金融機関の窓口に設置され、テラーが窓口端末７０６を操作することに応じて、現金を入金したり、現金を出金したりするよう構成されている。
【００３４】
ネットワーク７０４にはさらに、出納機１０の付近を撮影する監視カメラ７０７が接続されている。監視カメラ７０７が撮影した画像は、ネットワーク７０４を介して、管理コンピュータ７００に記録される。尚、監視カメラ７０７は、出納機１０の電源ＯＮ／ＯＦＦ状態にかかわらず、出納機１０の周辺を監視するものとする。
【００３５】
図２は、貨幣処理システム１の機能構成を例示するブロック図である。出納機１０は、紙幣の処理を行う紙幣処理装置１００と、硬貨の処理を行う硬貨処理装置２００と、種々の伝票を発行するプリンタ４００と、操作者に対するヒューマンインターフェース部分であると共に、紙幣処理装置１００、硬貨処理装置２００及びプリンタ４００の制御を行う管理端末装置５００と、を含んで構成されている。
【００３６】
紙幣処理装置１００は、バラ紙幣の入出金処理を実行可能に構成されている。また、紙幣処理装置１００は、帯封紙幣の作成や、帯封紙幣の出金処理を実行可能に構成されている。紙幣処理装置１００の構成の詳細は後述する。
【００３７】
硬貨処理装置２００は、バラ硬貨の入出金処理を実行可能に構成されている。また、硬貨処理装置２００は、包装硬貨の作成や、包装硬貨の出金処理を実行可能に構成されている。
【００３８】
プリンタ４００は、硬貨処理装置２００の上面に配設されており、後述する管理端末装置５００の端末制御部５０２から出力された制御信号に基づいて、種々の情報が印字された伝票を発行する。
【００３９】
管理端末装置５００は、出納機１０へ情報を入力する操作部でありかつ、出納機１０の情報を出力する表示部でもある。具体的に、管理端末装置５００は、硬貨処理装置２００の上面に設けられたタッチパネル５０１を備えて構成されている。このタッチパネル５０１は、図２に示すように、表示部と操作部とが一体化した構成を有しており、種々の情報が配置された画面を表示すると共に、操作者による手入力に基づいて、出納機１０を操作するように構成されている。
【００４０】
管理端末装置５００は、例えば周知のマイクロコンピュータをベースとした端末制御部５０２を備えている。端末制御部５０２には、第１通信部５０５を介して、紙幣処理装置１００、及び、硬貨処理装置２００が接続されている。端末制御部５０２は、紙幣処理装置１００、及び、硬貨処理装置２００に制御信号を出力する。紙幣処理装置１００、及び、硬貨処理装置２００はそれぞれ、端末制御部５０２からの制御信号に従って動作する。
【００４１】
端末制御部５０２にはまた、前記のタッチパネル５０１、操作者のＩＤカードのＩＤ情報を読み取るよう構成されたカードリーダ５０４、プリンタ４００、第２通信部５０６及び記憶部５０３が、信号の送受信可能に接続されている。
【００４２】
第２通信部５０６は、ネットワーク７０４に接続されている。端末制御部５０２は、第２通信部５０６及びネットワーク７０４を介して、管理コンピュータ７００に接続されている。端末制御部５０２はまた、第２通信部５０６及びネットワーク７０４を介して、窓口端末７０６及びオートキャッシャー７０５に接続されている。
【００４３】
記憶部５０３は、出納機１０における紙幣や硬貨の在高等の情報を記憶する在高管理データと、詳細は後述するが、紙幣処理装置１００及び硬貨処理装置２００の可動箇所が動いたことに関する情報を記憶する開閉監視データと、を少なくとも記憶している。可動箇所は、後述するように開閉する開閉部分等であり、可動箇所が動いたことは、開閉部分等が開閉することに相当する。そこで、以下においては、可動箇所が動いたことを、「開閉」と呼ぶ場合がある。また、記憶部５０３には、所定の権限を有する管理者を特定する操作者情報が予め登録（記録）されており、後述する認証操作時に照合される。
【００４４】
（紙幣処理装置の構成例）
図３は、紙幣処理装置１００の内部構成を例示している。紙幣処理装置１００は、前述したように、バラ紙幣の入出金処理を実行可能である。また、紙幣処理装置１００は、帯封紙幣（紙幣束ともいう）の作成や、帯封紙幣の出金処理を実行可能である。帯封紙幣は、所定枚数（例えば１００枚）のバラ紙幣から作成される。
【００４５】
紙幣処理装置１００は、バラ紙幣を入金するための投入部１４、バラ紙幣を出金するためのバラ紙幣投出部２４、及び、帯封紙幣を出金するための帯封紙幣投出部４８をそれぞれ有している。詳細な図示は省略するが、投入部１４は筐体１２の外部に開口しており、操作者は投入部１４の内部にバラ紙幣の束を投入することができる。一方、バラ紙幣投出部２４及び帯封紙幣投出部４８にはそれぞれシャッター２４ａ，４８ａが設けられている。シャッター２４ａ，４８ａが開いてバラ紙幣投出部２４や帯封紙幣投出部４８が開口すると、操作者はバラ紙幣投出部２４に集積されているバラ紙幣や帯封紙幣投出部４８に集積されている帯封紙幣を取り出すことができる。なお、バラ紙幣投出部２４は、バラ紙幣の出金処理における出金部として機能するとともに、入金処理時において識別できなかったバラ紙幣や正常ではないと識別されたバラ紙幣を排出するための入金リジェクト部としても機能する。
【００４６】
また、バラ紙幣投出部２４の下方には、バラ紙幣の出金処理において、バラ紙幣投出部２４から出金すべきではないと判断されたバラ紙幣が集積される出金リジェクト部２６が設けられている。出金リジェクト部２６の前カバーは、通常、閉鎖されており、出金リジェクト部２６の内部にアクセスすることができない。所定の権限を有する管理者が操作をすることによって前カバーが開放され、出金リジェクト部２６の内部のリジェクト紙幣を回収することができる。出金リジェクト部２６は、紙幣を収納する収納部の一例であり、出金リジェクト部２６の前カバーは、収納部に触れることに関係する可動箇所の一例である。
【００４７】
投入部１４には、投入されたバラ紙幣を一枚ずつ繰り出すための繰出部１６が設けられている。繰出部１６により投入部１４から繰り出されたバラ紙幣は、搬送部１８により筐体１２内で搬送される。搬送部１８には識別部２０が設けられており、搬送部１８により搬送されるバラ紙幣は識別部２０によりその金種、真偽、表裏、正損、新旧、搬送状態等が識別される。また、搬送部１８には表裏反転部２２が設けられており、識別部２０により識別されたバラ紙幣は表裏反転部２２によりその表裏が揃うように反転させられる。
【００４８】
搬送部１８には、入金一時保留部３０、一括バラ紙幣収納部３２及び複数（図３では三つ）の金種別バラ紙幣収納部３４がそれぞれ接続されている。入金一時保留部３０、一括バラ紙幣収納部３２及び各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、一括バラ紙幣収納部３２には、各金種別バラ紙幣収納部３４に割り当てられていない金種のバラ紙幣や、対応する金種別バラ紙幣収納部３４に入りきらなかったオーバーフロー紙幣等が収納される。また、各金種別バラ紙幣収納部３４には、それぞれ予め設定された特定の金種のバラ紙幣が収納される。
【００４９】
入金一時保留部３０の上端部の近傍には紙幣繰出部３０ｂが設けられており、バラ紙幣は紙幣繰出部３０ｂにより、入金一時保留部３０から一枚ずつ搬送部１８に繰り出され、また、搬送部１８から入金一時保留部３０に一枚ずつ繰り入れられる。一括バラ紙幣収納部３２の上端部の近傍には紙幣繰入部３２ｂが設けられており、バラ紙幣は紙幣繰入部３２ｂにより、搬送部１８から一括バラ紙幣収納部３２に一枚ずつ繰り入れられる。各金種別バラ紙幣収納部３４の上端部の近傍にはそれぞれ紙幣繰出部３４ｂが設けられており、バラ紙幣は紙幣繰出部３４ｂにより、各金種別バラ紙幣収納部３４から一枚ずつ搬送部１８に繰り出され、また、搬送部１８から各金種別バラ紙幣収納部３４に一枚ずつ繰り入れられる。バラ紙幣の出金処理が行われる際には、各金種別バラ紙幣収納部３４から繰り出されたバラ紙幣が搬送部１８により識別部２０に送られ、識別部２０により識別された後にバラ紙幣投出部２４に送られる。入金一時保留部３０、一括バラ紙幣収納部３２、及び金種別バラ紙幣収納部３４はそれぞれ、紙幣を収納する収納部の一例である。
【００５０】
筐体１２の下部には下部扉１２ａが設けられており、操作者は、下部扉１２ａを開くことにより入金一時保留部３０の内部にアクセスできる。また、入金一時保留部３０、一括バラ紙幣収納部３２及び各金種別バラ紙幣収納部３４は、筐体１２から前方に（図３における左方向に）引き出し可能となっている引出ユニット１３に収容されている。操作者は、下部扉１２ａごと引出ユニット１３を前方に引き出し、一括バラ紙幣収納部３２や各金種別バラ紙幣収納部３４を引出ユニット１３から取り外したり、引出ユニット１３に装着したりできる。下部扉１２ａ及び引出ユニット１３はそれぞれ、収納部に触れることに関係する可動箇所の一例である。
【００５１】
また、搬送部１８には複数（図３では二つ）の集積部４０が接続されており、搬送部１８から送られたバラ紙幣は、集積部４０に積層状態で集積される。また、所定枚数（例えば１００枚）のバラ紙幣からなる紙幣束に帯封紙を巻くことにより帯封紙幣を作成する帯封ユニット４２が、集積部４０の前方に設けられている。
【００５２】
帯封ユニット４２の近傍にはアーム機構４４が設けられている。アーム機構４４は、集積部４０、及び、帯封ユニット４２の間で移動可能となっている。
【００５３】
帯封紙幣揚送部４６には、図３における上下方向に移動可能となっているステージ４６ａが設けられている。
【００５４】
帯封処理が行われる際に、アーム機構４４は、集積部４０に集積された所定枚数のバラ紙幣を上下一対のアーム部により保持して、帯封ユニット４２に移動する。帯封ユニット４２において、アーム機構４４に保持された所定枚数のバラ紙幣の外周面に帯封紙が巻かれる。帯封処理が行われた後、アーム機構４４は帯封ユニット４２から帯封紙幣揚送部４６に移動して、ステージ４６ａ上に帯封紙幣を受け渡す。このような動作を繰り返すことにより、複数の帯封紙幣を帯封紙幣揚送部４６のステージ４６ａ上に集積させる。
【００５５】
そして、アーム機構４４からステージ４６ａ上に１または複数の帯封紙幣が受け渡された後、ステージ４６ａが上方向に移動して帯封紙幣投出部４８の下端と同じレベルに達する。この状態でシャッター４８ａが開くと、操作者は帯封紙幣投出部４８の内部にアクセスしてステージ４６ａ上に集積されている帯封紙幣を取り出すことができる。また、ステージ４６ａがさらに上昇すると、ステージ４６ａ上に集積されている帯封紙幣を帯封紙幣搬送部６０に受け渡す、又は、帯封紙幣搬送部６０から帯封紙幣をステージ４６ａ上に集積させることができる。
【００５６】
前述した投入部１４、バラ紙幣投出部２４、出金リジェクト部２６、搬送部１８、識別部２０、表裏反転部２２、二つの集積部４０、帯封ユニット４２、アーム機構４４及び帯封紙幣揚送部４６の一部は、中間ユニット１９を構成している。中間ユニット１９は、図示は省略するが、筐体１２から前方に引き出し可能に構成されている。例えば紙幣のジャム等が発生したときに、操作者は、中間ユニット１９を前方に引き出すことによって、中間ユニット１９に含まれる各部にアクセスすることができ、ジャム紙幣を取り出すことができる。中間ユニット１９は、収納部に触れることに関係する可動箇所の一例である。
【００５７】
筐体１２の内部における上部領域には、複数（図３では四つ）の帯封紙幣収納部７０が設けられている。各帯封紙幣収納部７０の内部にはそれぞれ、上下方向に移動可能であるステージ７０ａが設けられている。帯封ユニット４２により作成された帯封紙幣は、帯封紙幣収納部７０の上端部に設けられた開口からステージ７０ａ上、又は、ステージ７０ａ上に集積済みの帯封紙幣の上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも一つは、金種が異なる帯封紙幣を混合状態で収納するようにしてもよい。
【００５８】
各帯封紙幣収納部７０の上方には、帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図３における時計回りの方向及び反時計回りの方向の両方向に循環移動可能である。帯封紙幣搬送部６０によって搬送される帯封紙幣は、循環ベルト６０ｂの下面に沿って突起６０ａにより引っ掛けられた状態で左右いずれかの方向に移動する。また、帯封紙幣揚送部４６の上端と帯封紙幣収納部７０との間に識別部６２が設けられている。識別部６２は、搬送される帯封紙幣の金種を、例えばその最下面の紙幣の撮像画像から識別する。識別部６２はまた、帯封紙幣の紙幣や結束帯の状態、例えば破れや汚れの有無等を識別する。なお、図３の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上面の紙幣の撮像画像から識別する。
【００５９】
前述した帯封紙幣投出部４８、帯封紙幣揚送部４６の一部、帯封紙幣搬送部６０、識別部６２、及び帯封紙幣収納部７０は上部ユニット１１０を構成している。上部ユニット１１０は、図示は省略するが、筐体１２から前方へ引き出し可能に構成されている。そして、引き出された状態で、その上端を覆う蓋部（帯封紙幣搬送部６０の一部を含む）を持ち上げることが可能に構成されており、操作者は、蓋部を持ち上げることによって、上部ユニット１１０の内部にアクセスすることができる。帯封紙幣収納部７０は紙幣を収納する収納部の一例であり、かつ、上部ユニット１１０、及び、その蓋部は、収納部に触れることに関係する可動箇所の一例である。
【００６０】
紙幣処理装置１００はまた、図２に示すように、可動箇所が動いたことを検知する検知部としてのセンサ１０１を備えている。センサ１０１は、図３に示すように、上部ユニット１１０の蓋部が持ち上げられたことを検知するセンサ１０１ａと、中間ユニット１９が筐体１２から引き出されたことを検知するセンサ１０１ｂと、出金リジェクト部２６の前カバーが開放されたことを検知するセンサ１０１ｃと、下部扉１２ａが開いたことを検知するセンサ１０１ｄと、上部ユニット１１０が筐体１２から引き出されたことを検知するセンサ１０１ｅと、引出ユニット１３が筐体１２から引き出されたことを検知するセンサ１０１ｆを含んでいる。紙幣処理装置１００は、センサ１０１の検知信号に基づいて、出納機１０の電源がオフの間に、前述した可動箇所が動いたことを検知する監視制御部１０３と、出納機１０の電源がオフの間に、センサ１０１及び監視制御部１０３に対して電力を供給するバッテリ１０２と、を備えている。監視制御部１０３は、可動箇所が動いたときに、そのことに関係する情報を記憶するメモリを有している。
【００６１】
硬貨処理装置２００の内部構成の詳細な説明は省略するが、硬貨を収容する収納部を備えている。硬貨処理装置２００はまた、紙幣処理装置１００と同様に、収納部に触れることに関係する可動箇所を複数、備えていると共に、図２に示すように、それぞれの可動箇所が動いたことを検知するセンサ２０１と、センサ２０１の検知信号に基づいて、出納機１０の電源がオフの間に、可動箇所が動いたことを検知する監視制御部２０３と、出納機１０の電源がオフの間に、センサ２０１及び監視制御部２０３に対して電力を供給するバッテリ２０２と、を備えている。監視制御部２０３は、可動箇所が動いたときに、そのことに関係する情報を記憶するメモリを有している。
【００６２】
（出納機の監視制御）
出納機１０は、電源がオフの間に、紙幣処理装置１００及び硬貨処理装置２００の可動部分が動いたか否かを監視すると共に、紙幣処理装置１００及び硬貨処理装置２００の可動部分が、電源がオフの間に動いたときには、その情報を記憶し、出納機１０の電源がオンになったタイミングで、操作者に通知をするよう構成されている。ここで、出納機１０は、電源のオフ中に、紙幣処理装置１００及び硬貨処理装置２００の可動部分が動いた事実を、所定の権限を有する管理者に確実に知らせるために、当該管理者の確認操作がなければ、貨幣の処理に関する動作を行うことができないよう構成されている。
【００６３】
出納機１０はまた、通知を行う設定と、通知を行わない設定とを切り替えることが可能に構成されている。通知を行わない設定では、仮に電源のオフ中に、紙幣処理装置１００及び硬貨処理装置２００の可動箇所が動いたとしても、そのことは通知されないが、可動箇所が動いたという情報は、開閉監視データとして、出納機１０の記憶部５０３に記憶される。
【００６４】
紙幣処理装置１００は、出納機１０の電源がオフになった後は、バッテリ１０２の電力を使いながら、センサ１０１は可動箇所の監視をする。そして、監視制御部１０３は、センサ１０１の検知信号に基づいて、いずれかの可動箇所が動いたときには、当該可動箇所に関する情報、及び、可動箇所が動いた日時等の情報を、メモリに記憶する。
【００６５】
硬貨処理装置２００も同様に、出納機１０の電源がオフになった後は、バッテリ２０２の電力を使いながら、センサ２０１は可動箇所の監視をする。そして、監視制御部２０３は、センサ２０１の検知信号に基づいて、いずれかの可動箇所が動いたときには、当該可動箇所に関する情報、及び、可動箇所が動いた日時等の情報を、メモリに記憶する。
【００６６】
次に、図４に示すフローチャートと、図５〜８に示す画面構成例とを参照しながら、出納機１０の監視制御について説明をする。
【００６７】
先ず、スタート後のステップＳ１では、出納機１０の電源がオフからオンになったか否かを判定する。オンにならないときにはステップＳ１が繰り返される。出納機１０の電源がオンになれば、ステップＳ１からステップＳ２に進む。例えば金融機関の店舗の始業に合わせて、出納機１０の電源はオフからオンになる。
【００６８】
ステップＳ２では、確認フラグがオンであるか否かを判定する。確認フラグは、後述するが、電源がオフの間に、紙幣処理装置１００又は硬貨処理装置２００における、いずれかの可動箇所が動いていた場合に、紙幣処理装置１００又は硬貨処理装置２００からの開閉監視データを受けてオンになり（ステップＳ５）、予め登録をした操作者が、そのことについての確認操作を行ったときにオフになる（ステップＳ１０）。ステップＳ２において、確認フラグがオンであるときは、後述するように、紙幣処理装置１００又は硬貨処理装置２００の電源がオフの間に、いずれかの可動箇所が動いていたにも関わらず、予め登録をした操作者が、そのことについての確認操作を行っていないことを示す。確認フラグがオフであれば（ステップＳ２でＮＯ）、ステップＳ３に進み、確認フラグがオンであれば（ステップＳ２でＹＥＳ）、ステップＳ７に進む。
【００６９】
ステップＳ３において、管理端末装置５００の端末制御部５０２は、紙幣処理装置１００及び硬貨処理装置２００に対し、電源がオフの間に、いずれかの可動箇所が動いた情報がメモリに記憶されているかを確認する（つまり、開閉監視データのチェック）。
【００７０】
続くステップＳ４で端末制御部５０２は、開閉監視データが記憶されているか否か（つまり、電源がオフの間に、いずれかの可動箇所が動いたか否か）を判断し、記憶されているときにはステップＳ５に進み、記憶されていないときには、ステップＳ１６に進む。端末制御部５０２は、開閉監視データを紙幣処理装置１００及び／又は硬貨処理装置２００から受けて、記憶部５０３の開閉監視データに保存する。
【００７１】
紙幣処理装置１００及び／又は硬貨処理装置２００から開閉監視データを受けた後のステップＳ５においては、確認フラグをオンにする。続くステップＳ６において、端末制御部５０２は、監視情報の通知が必要な設定になっているか否かを判定する。不要であるときには、ステップＳ６からステップＳ１６に進む。この場合、前述したように、操作者に対する通知は行われない。但し、開閉監視データは、記憶部５０３に記憶されているため、予め登録した操作者が、タッチパネル５０１を通じて所定の操作を行えば、開閉監視データを確認することができる。
【００７２】
監視情報の通知が必要な設定であるときには、ステップＳ６からステップＳ７に進む。ステップＳ７では、権限者に承認を要求する。具体的に、端末制御部５０２は、図５に例示するような警告画面Ｄ１を、タッチパネル５０１に表示する。警告画面Ｄ１には、電源オフの間に可動箇所が動いたこと（つまり、扉が開いた可能性があること）が記載されている。操作者が「確認」ボタンをタッチすると、端末制御部５０２は、タッチパネル５０１に、図６に例示する認証画面Ｄ２を表示する。
【００７３】
認証画面Ｄ２では、予め登録した操作者が認証操作を行う。予め登録した操作者は、金融機関において、所定の権限を有する管理者（例えば出納責任者）としてもよい。認証画面Ｄ２において認証が行われると、図４のフローにおけるステップＳ８の判定がＹＥＳになり、フローは、ステップＳ８からステップＳ９に進む。尚、ステップＳ８において、予め登録した操作者は、カードリーダ５０４を利用して認証を行ってもよい。
【００７４】
ここで、図４のフローから明らかなように、予め登録した操作者の認証が行われなければ、フローは進まない。出納機１０は、紙幣や硬貨の処理が実質的に禁止された状態になる。つまり、端末制御部５０２は、出納機１０の電源がオフの間に、紙幣処理装置１００又は硬貨処理装置２００の可動箇所が動いたときには、出納機１０を、貨幣に関する処理を禁止する禁止モードにする。この構成により、出納機１０の電源がオフの間に可動箇所が動いたときには、管理者が確認操作を行うことになるから、管理者は、可動箇所が動いた事実を、速やかにかつ、確実に知ることができる。
【００７５】
ステップＳ９では、端末制御部５０２は、タッチパネル５０１に、記憶部５０３に記憶している開閉監視データの履歴情報を表示する。例えば図７に示すように、タッチパネル５０１には、電源がオフの間に開けられた箇所と、開けられた日時の情報とが表形式で表示された履歴画面Ｄ３が表示される。予め登録された操作者は、タッチパネル５０１に表示された情報を見ることによって、詳細な情報を確認することができる。図７に例示する履歴画面Ｄ３は、現金に触れたか否か（触れた可能性があるか否か）の情報も含んでいる。
【００７６】
尚、端末制御部５０２は、履歴画面Ｄ３において、いずれかの項目（行）が選択されると、監視カメラ７０７が、当該日時に出納機１０の付近を撮影した画像を、タッチパネル５０１に表示してもよい。例えば管理コンピュータ７００は、管理端末装置５００から、日時の指定を受けたときに、記憶している映像データのなかから、指定された日時の映像データを、管理端末装置５００に送信してもよい。管理端末装置５００は、管理コンピュータ７００からの映像データを受けて、タッチパネル５０１に表示すればよい。尚、管理コンピュータ７００から映像データを受けた後、管理端末装置５００の記憶部５０３に映像データを記憶してもよい。
【００７７】
また、紙幣処理装置１００や硬貨処理装置２００が、操作者の映像を撮影する監視カメラを内蔵していてもよい。撮影した映像データは、管理端末装置５００の記憶部５０３に記憶すればよい。
【００７８】
また、開閉監視データの履歴情報は、タッチパネル５０１に表示する代わりに、プリンタ４００によって印字してもよい。さらに、開閉監視データの履歴情報は、タッチパネル５０１に表示すると共に、プリンタ４００によって印字してもよい。
【００７９】
開閉監視データを表示した後のステップＳ１０で、端末制御部５０２は、ステップＳ５でオンにした確認フラグをオフにする。従って、ステップＳ８において予め登録をした操作者の確認操作が行われずに、出納機１０の電源をオフにした後、出納機１０の電源を再びオンにしたとしても、確認フラグはオンのままであるから、フローは、ステップＳ２からステップＳ７に進むことになる。このように、確認フラグが一旦オンになれば、予め登録をした操作者（つまり、所定の権限を有する管理者）が確認操作を行わないと、確認フラグがオフにならない。これにより、管理者は、電源オフ中に、紙幣処理装置１００又は硬貨処理装置２００における可動箇所が動いたという事実を、必ず知ることができる。
【００８０】
ステップＳ１０で確認フラグがオフになった後のステップＳ１１では、端末制御部５０２は、タッチパネル５０１に、精査処理の実行要否を指定する画面Ｄ４を表示する。操作者が、精査処理の実行を指示したときには、ステップＳ１１からステップＳ１２に進んで、出納機１０は精査処理を実行する。このときに精査処理の対象となる収納部は、開閉監視データに基づいて、何者かに触れられた可能がある収納部に限定してもよいし（部分精査処理）、紙幣処理装置１００又は硬貨処理装置２００の全ての収納部を、精査処理の対象としてもよい（全精査処理）。精査処理を実行することによって、収納部の在高を確認することができる。
【００８１】
一方、画面Ｄ４において精査処理の実行が指示されなかったときには、フローは、ステップＳ１１からステップＳ１６に進む。所定の権限を有する管理者が精査処理は不要と判断すれば、精査処理の実行を省略することによって、金融機関における業務の遂行をスムースにすることができる。この場合は、業務終了後等に精査処理を行うことが望ましい。
【００８２】
ここで、バラ紙幣についての精査処理は、入金一時保留部３０を用い、入金一時保留部３０と、一括バラ紙幣収納部３２又は金種別バラ紙幣収納部３４との間で、バラ紙幣が往復する間に、識別部２０がバラ紙幣の識別及び計数を行うことにより、実行される。また、帯封紙幣についての精査処理は、帯封紙幣揚送部４６を用い、帯封紙幣揚送部４６と帯封紙幣収納部７０との間で帯封紙幣が往復する間に、識別部６２が帯封紙幣の識別及び計数を行うことにより、実行される。さらに、バラ硬貨についての精査処理は、収納部に収納しているバラ硬貨を全て、出金経路を使って硬貨処理装置２００の機外に出金すると共に、出金したバラ硬貨を硬貨処理装置２００に再投入することにより、実行される。加えて、包装硬貨についての精査処理は、包装硬貨の収納部に収納されている包装硬貨を、センサが検知することにより、実行される。
【００８３】
精査処理が終了した後のステップＳ１３では、精査処理の結果、在高異常があったか否かを判定する。つまり、精査処理を行う前に記憶されている在高と、精査処理の結果とが一致するか否かを判定する。精査処理を行う前に記憶されている在高と、精査処理の結果とを比較することによって、出納機１０の電源オフの間に、収納部から貨幣の抜き取り等の不正が行われたか否かを確実に把握することができる。精査処理を行う前に記憶されている在高と、精査処理の結果とが一致することにより、在高異常がないときには、ステップＳ１３からステップＳ１６に進む。また、精査処理を行う前に記憶されている在高と、精査処理の結果とが一致せずに、在高異常があるときには、ステップＳ１３からステップＳ１４に進み、所定の異常解析処理を行う。具体的に、端末制御部５０２は、精査結果が一致しない旨をタッチパネル５０１に表示すると共に、精査結果の詳細を、タッチパネル５０１に表示する。また、操作者の要求操作に応じて、端末制御部５０２は、監視カメラ７０７が撮影した映像を、タッチパネル５０１に表示してもよい。操作者は、例えば犯罪の有無を確認する上で有用な情報を得ることができる。操作者は、在高異常に関する所定の操作を行う。
【００８４】
ステップＳ１４の後のステップＳ１５で、操作者が待機指示の操作を行えば、フローは、ステップＳ１５からステップＳ１６に進む。ステップＳ１６において、端末制御部５０２は、タッチパネル５０１に、メニュー画面を表示する。図示は省略するが、メニュー画面には、「入金」や「出金」等のボタンを含み、操作者は、所望の処理を選択することができる。つまり、端末制御部５０２は、出納機１０の禁止モードを解除し、出納機１０は、貨幣の処理を含む、通常の動作を行う。
【００８５】
尚、前記の構成では、電源オフ中に、紙幣処理装置１００又は硬貨処理装置２００の可動箇所が動いていたときには、出納機１０のタッチパネル５０１にその旨を表示すると共に、所定の権限を有する管理者が、タッチパネル５０１を操作するよう構成している。これとは異なり、管理端末装置５００の端末制御部５０２は、図４のフローのステップＳ７において、貨幣処理システム１のタブレット端末７０１や、スマートフォン７０２等の操作端末、又は、管理コンピュータ７００に、図５の警告画面Ｄ１に対応する画面を表示すると共に、所定の権限を有する管理者は、タブレット端末７０１や、スマートフォン７０２等の操作端末、又は、管理コンピュータ７００を操作するよう構成してもよい。こうすることで、管理者は、遠隔で確認操作を行うことができる。例えば管理者が外出や出張等の理由で、出納機１０が設置されている店舗に不在であっても、管理者は、電源オフ中に可動箇所が動いた事実を知ることができる上に、確認操作を行うことによって、出納機１０の禁止モードを解除することができる。また、出納機１０が設置されている店舗が小規模店舗であって、当該店舗に管理者が常駐していないようなケースにおいても、管理者は、電源オフ中に、出納機１０の可動箇所が動いたという事実を知ることができると共に、そのことに対する確認操作を行うことができるから、貨幣処理システム１の利便性が向上する。
【００８６】
また、出納機１０は、紙幣処理装置１００及び硬貨処理装置２００のみを含む構成に限らず、出納機１０は、その他の貨幣を収納する収納部を含む装置を備えるようにしてもよい。
【００８７】
さらに、ここに開示する技術は、出納機１０及び貨幣処理システム１へ適用することに限定されず、様々な装置及びシステムにおいて、そのセキュリティ性を高めるために、適用することができる。例えば図１に示すシステムにおいては、オートキャッシャー７０５についても同様に、電源オフ中に可動箇所の監視を行うと共に、電源オフ中に可動箇所が動いたときには、例えば窓口端末７０６において所定の権限を有する管理者の確認操作が必要に構成してもよい。
【符号の説明】
【００８８】
１  貨幣処理システム
１０  出納機（貨幣処理装置）
１２ａ  下部扉（可動箇所）
１３  引出ユニット（可動箇所）
１９  中間ユニット（可動箇所）
１００  紙幣処理装置（装置本体）
１１０  上部ユニット（可動箇所）
２６  出金リジェクト部（収納部）
３０  入金一時保留部（収納部）
３２  一括バラ紙幣収納部（収納部）
３４  金種別バラ紙幣収納部（収納部）
７０  帯封紙幣収納部（収納部）
２００  硬貨処理装置（装置本体）
１０１  センサ（検知部）
５０１  タッチパネル（操作部）
５０２  端末制御部（制御部）
７０１  タブレット端末（操作端末）
７０２  スマートフォン（操作端末）
７０７  監視カメラ
【図１】
2018132978.tif 000003
【図２】
2018132978.tif 000004
【図３】
2018132978.tif 000005
【図４】
2018132978.tif 000006
【図５】
2018132978.tif 000007
【図６】
2018132978.tif 000008
【図７】
2018132978.tif 000009
【図８】
2018132978.tif 000010